(57)【要約】【課題】基地局の方向（上り方向）の通信品質を事前に確認することのできるフェムトセル基地局、通信品質確認方法、および通信品質確認プログラムを提供する。【解決手段】無線のバックホール回線ＢＬ１を介して基地局Ｂ１と通信可能なフェムトセル基地局１０であって、記憶部１４に記憶された所定サイズの測定用ファイルｆ１を読み出し、無線制御部１２およびアンテナ１１を制御してフェムトセル基地局１０から基地局Ｂ１への方向に測定用ファイルｆ１を送信し、通信速度を測定する測定部２０を備える。【選択図】図２
2014086900.tif 000002
【特許請求の範囲】
【請求項１】
無線のバックホール回線を介して基地局と通信可能なフェムトセル基地局であって、
前記基地局の方向に所定サイズのファイルを送信して通信速度を測定する測定部を備える、
フェムトセル基地局。
【請求項２】
前記測定部により測定された通信速度に基づいて、前記基地局への送信を制御する送信制御部をさらに備える、
請求項１に記載のフェムトセル基地局。
【請求項３】
前記送信制御部は、前記測定部により測定された通信速度が所定のしきい値以上である場合に、前記基地局への送信を許可する、
請求項２に記載のフェムトセル基地局。
【請求項４】
前記送信制御部は、前記測定部により測定された通信速度が所定のしきい値より低い場合に、前記基地局への送信を禁止する、
請求項２または３に記載のフェムトセル基地局。
【請求項５】
前記送信制御部は、前記測定部により測定された通信速度が所定のしきい値より低い場合に、移動局からの通話要求に関して前記基地局への送信を禁止する、
請求項２または３に記載のフェムトセル基地局。
【請求項６】
前記基地局と複数の通信規格で通信可能であり、
前記測定部は、前記基地局の方向に前記複数の通信規格のうちの一の通信規格で前記ファイルを送信して前記一の通信規格の通信速度を測定し、
前記送信制御部は、測定部により測定された前記一の通信規格の通信速度が所定のしきい値以上である場合に、前記一の通信規格による前記基地局への送信を許可する、
請求項２ないし５のいずれか一項に記載のフェムトセル基地局。
【請求項７】
前記測定部により測定された通信速度が所定のしきい値より低い場合に、警報を出力する警報出力部をさらに備える、
請求項１ないし６のいずれか一項に記載のフェムトセル基地局。
【請求項８】
無線のバックホール回線を介して基地局と通信可能なフェムトセル基地局が、前記基地局の方向に所定サイズのファイルを送信して通信速度を測定する、
通信品質確認方法。
【請求項９】
無線のバックホール回線を介して基地局と通信可能なフェムトセル基地局が、前記基地局の方向に所定サイズのファイルを送信して通信速度を測定するステップを備える、
通信品質確認プログラム。
【発明の詳細な説明】
【技術分野】
【０００１】
本発明に係るいくつかの態様は、例えば、無線のバックホール回線を介して基地局と通信するフェムトセル基地局、通信品質確認方法、および通信品質確認プログラムに関する。
【背景技術】
【０００２】
従来、この種のフェムトセル基地局として、公衆回線のパックホール回線を用いてインターネット網に有線で接続されるリレーフェムト基地局を備える無線システムが知られている（例えば、特許文献１参照）。
【先行技術文献】
【特許文献】
【０００３】
【特許文献１】特開２０１２−１４７０５１号公報
【発明の概要】
【発明が解決しようとする課題】
【０００４】
一般に、フェムトセル基地局と基地局との間のバックホール回線が有線（固定）回線である場合、十分な通信品質が保証（確保）されている。一方、バックホール回線が無線である場合、他の電波の影響（干渉）を受けるなど、十分な通信品質が保証（確保）できない場合がある。
【０００５】
しかしながら、従来のフェムトセル基地局には、無線のバックホール回線を介して基地局と通信する場合に、事前に基地局の方向（上り方向）の通信品質を確認する手段がなく、通信品質を確認せずに通信サービスを提供していた。
【０００６】
本発明のいくつかの態様は前述の問題に鑑みてなされたものであり、基地局の方向（上り方向）の通信品質を事前に確認することのできるフェムトセル基地局、通信品質確認方法、および通信品質確認プログラムを提供することを目的の１つとする。
【課題を解決するための手段】
【０００７】
本発明に係るフェムトセル基地局は、無線のバックホール回線を介して基地局と通信可能なフェムトセル基地局であって、前述の基地局の方向に所定サイズのファイルを送信して通信速度を測定する測定部を備える。
【０００８】
好ましくは、測定部により測定された通信速度に基づいて、前述の基地局への送信を制御する送信制御部をさらに備える。
【０００９】
好ましくは、送信制御部は、測定部により測定された通信速度が所定のしきい値以上である場合に、前述の基地局への送信を許可する。
【００１０】
好ましくは、送信制御部は、測定部により測定された通信速度が所定のしきい値より低い場合に、前述の基地局への送信を禁止する。
【００１１】
好ましくは、送信制御部は、測定部により測定された通信速度が所定のしきい値より低い場合に、移動局からの通話要求に関して前述の基地局への送信を禁止する。
【００１２】
好ましくは、前述の基地局と複数の通信規格で通信可能であり、測定部は、前述の基地局の方向に複数の通信規格のうちの一の通信規格で前述のファイルを送信して一の通信規格の通信速度を測定し、送信制御部は、測定部により測定された一の通信規格の通信速度が所定のしきい値以上である場合に、一の通信規格による前述の基地局への送信を許可する。
【００１３】
好ましくは、測定部により測定された通信速度が所定のしきい値より低い場合に、警報を出力する警報出力部をさらに備える。
【００１４】
また、本発明に係る通信品質確認方法は、無線のバックホール回線を介して基地局と通信可能なフェムトセル基地局が、前述の基地局の方向に所定サイズのファイルを送信して通信速度を測定する。
【００１５】
また、本発明に係る通信品質確認プログラムは、無線のバックホール回線を介して基地局と通信可能なフェムトセル基地局が、前述の基地局の方向に所定サイズのファイルを送信して通信速度を測定するステップを備える。
【発明の効果】
【００１６】
本発明のフェムトセル基地局、通信品質確認方法、および通信品質確認プログラムによれば、基地局の方向に（上り方向に）測定用ファイルを送信して通信速度を測定することにより、下り方向よりも必要性（優先度）が高い上り方向について、事前に、通信品質を知ることが可能となる。これにより、フェムトセル基地局が音声通話サービスおよびデータ通信サービスを提供する前に、上り方向の通信品質を確認することができる。
【図面の簡単な説明】
【００１７】
【図１】第１実施形態における公衆携帯電話通信網の概略構成を説明する構成図である。
【図２】図１に示したフェムトセル基地局の構成を説明するブロック図である。
【図３】図１および図２に示したフェムトセル基地局が上り方向の通信品質を確認する動作を説明するフローチャートである。
【図４】第２実施形態における公衆携帯電話通信網の概略構成を説明する構成図である。
【図５】図４に示したフェムトセル基地局の構成を説明するブロック図である。
【図６】図４および図５に示したフェムトセル基地局が上り方向の通信品質を確認する動作を説明するフローチャートである。
【発明を実施するための形態】
【００１８】
以下に本発明の実施の形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。なお、以下の説明において、図面の上側を「上」、下側を「下」、左側を「左」、右側を「右」という。
【００１９】
＜第１実施形態＞
図１ないし図３は、本発明に係るフェムトセル基地局、音声品質確認方法、および音声品質確認プログラムの第１実施形態を示すためのものである。図１は、第１実施形態における公衆携帯電話通信網ＰＮ１の概略構成を説明する構成図である。図１に示すように、公衆携帯電話通信網ＰＮ１は、本発明に係るフェムトセル基地局１０と、バックホール回線ＢＬ１と、複数の基地局Ｂ１，Ｂ２，Ｂ３と、インターネット網ＩＮと、制御局Ｃと、コアネットワークＣＮと、無線ネットワーク制御局ＲＣと、を備える。
【００２０】
フェムトセル基地局１０は、例えば、屋内や地下などに設置され、半径数十メートル程度の通信エリアをカバーするフェムトセル１０ａを有する。フェムトセル基地局１０は、フェムトセル１０ａの範囲内に位置する、例えば携帯電話などの移動局Ｍ１からの音声やデータを、バックホール回線ＢＬ１を介して基地局Ｂ１に中継する。
【００２１】
バックホール回線ＢＬ１は、フェムトセル基地局１０と基地局Ｂ１との間を無線で通信可能にする。バックホール回線ＢＬ１は、例えば、Ｗｉ−Ｆｉ（Wireless Fidelity）などの無線ＬＡＮや、３Ｇ（3rd Generation）やＬＴＥ（Long Term Evolution）などのモバイル回線（携帯電話回線）で構成することが可能である。
【００２２】
基地局Ｂ１は、フェムトセル基地局１０から受信した音声データや通信データなどを、インターネット網ＩＮを介してコアネットワークＣＮに中継する。基地局Ｂ１は、例えば、ｘＤＳＬ（Digital Subscriber Line）、同軸ケーブル、光ファイバーなどの有線で、インターネット網ＩＮに接続する。インターネット網ＩＮは、ＴＣＰ／ＩＰプロトコルに準拠したネットワークである。
【００２３】
制御局Ｃは、インターネット網ＩＮを介して基地局Ｂ１を制御しており、基地局Ｂ１およびフェムトセル基地局１０を介して移動局Ｍ１の接続制御などを行う。また、制御局Ｃは、ゲートウェイＧＷを介してコアネットワークＣＮに接続する。
【００２４】
ゲートウェイＧＷは、制御局Ｃを介するインターネット網ＩＮからのアクセス制限などを行う。ゲートウェイＧＷは、プロキシサーバやファイアウォールなどの機能を備えていてもよい。
【００２５】
コアネットワークＣＮには、サーバＳが接続される。サーバＳは、後述するように、フェムトセル基地局１０から送信される測定用ファイルｆ１を受信する。また、サーバＳは、例えば、ＦＴＰ（File Transfer Protocol）を用いてフェムトセル基地局１０にファイルを送信してもよい。この場合、サーバＳは、ＦＴＰサーバとして機能する。
【００２６】
無線ネットワーク制御局ＲＣは、コアネットワークＣＮに接続するとともに、複数の基地局Ｂ２，Ｂ３にそれぞれ接続する。無線ネットワーク制御局ＲＣは、基地局Ｂ２または基地局Ｂ３を介する通信を制御しており、移動局Ｍ２の発着信や回線接続、位置登録やハンドオーバーの制御などを行う。
【００２７】
図２は、図１に示したフェムトセル基地局１０の構成を説明するブロック図である。図２に示すように、フェムトセル基地局１０は、アンテナ１１と、無線通信部１２と、制御部１３と、記憶部１４と、を備える。
【００２８】
アンテナ１１は、所定の周波数帯の電波（電磁波）を放射（輻射）および受波可能である。無線通信部１２は、所定の通信規格でアンテナ１１およびバックホール回線ＢＬを介して基地局Ｂ１との間で通信（送受信）する。
【００２９】
制御部１３は、アンテナ１１、無線通信部１２、記憶部１４などのフェムトセル基地局１０の各部を制御するためのものである。制御部５３は、例えば、ＣＰＵ、ＲＯＭやＲＡＭなどのメモリ、入出力インターフェースなどで構成することが可能である。また、制御部１３は、その機能構成として、測定部２０と、送信制御部３０と、警報出力部４０を備える。
【００３０】
記憶部１４は、測定用ファイルｆ１と、しきい値ｄ１と、を記憶するためのものである。測定用ファイルｆ１は、通信速度測定用に設計（調整）された所定のサイズを有するファイルである。しきい値ｄ１は、測定した通信速度と比較するためのしきい値である。測定用ファイルｆ１およびしきい値ｄ１は、あらかじめ記憶部１４に記憶される。
【００３１】
測定部２０は、フェムトセル基地局１０から基地局Ｂ１への方向（以下、上り方向という）に、コアネットワークＣＮに接続されたサーバＳに測定用ファイルｆ１を送信し、通信速度を測定する。通信速度は、測定用ファイルｆ１のサイズと測定用ファイルｆ１の送信が完了するまでの時間とに基づいて、測定（算出）することができる。また、通信速度の単位は、例えば、ｂｐｓ（bit per second）［ビット／秒］が用いられる。
【００３２】
ここで、無線のバックホール回線ＢＬ１を介する通信の品質、特に音声通話の品質は、通信速度の影響を受けることが分かっている。また、無線のバックホール回線ＢＬ１を介する通信では、基地局Ｂ１からフェムトセル基地局１０への方向（以下、下り方向という）の通信速度と比較して、上り方向の通信速度の方が低い（遅い）傾向にあるので、下り方向よりも上り方向の方が、通信品質を確認する必要性（優先度）が高いといえる。よって、上り方向に測定用ファイルｆ１を送信して通信速度を測定することにより、下り方向よりも必要性（優先度）が高い上り方向について、事前に、通信品質を知ることが可能となる。
【００３３】
送信制御部３０は、測定部２０により測定された通信速度に基づいて、基地局Ｂ１への送信を制御する。
【００３４】
具体的には、測定部２０により測定された通信速度がしきい値ｄ１以上である場合に、送信制御部３０は、基地局Ｂ１への送信を許可する。基地局Ｂ１への送信を許可するために、送信制御部３０は、例えば、移動局Ｍ１からの音声通話およびデータ通信の要求（リクエスト）を受け入れるように設定する。
【００３５】
ここで、上り方向の通信速度が所定の速度以上である場合、ＱｏＳ（Quality of Service）の観点から、上り方向の通信は所定の品質が保証（確保）されているといえる。よって、測定部２０により測定された通信速度がしきい値ｄ１以上である場合に、基地局Ｂ１への送信を許可することにより、上り方向の品質が保証（確保）された音声通話サービスおよびデータ通信サービスを提供することができる。
【００３６】
一方、測定部２０により測定された通信速度がしきい値ｄ１より低い（遅い）場合に、送信制御部３０は、基地局Ｂ１への送信を禁止する。基地局Ｂ１への送信を禁止するために、送信制御部３０は、例えば、移動局Ｍ１からの音声通話およびデータ通信の要求（リクエスト）を拒否（拒絶）するように設定する。これにより、上り方向の通信品質が保証（確保）できないときに、音声通話サービスおよびデータ通信サービスを停止することができ、低品質なサービスの提供を防止することができる。
【００３７】
警報出力部４０は、測定部２０により測定された通信速度がしきい値ｄ１より低い（遅い）場合に、警報を出力する。警報を出力する手段としては、例えば、警報ランプを点灯したり、スピーカなどの音声出力手段から警報音を出力したり、ディスプレイなどの表示手段に警報メッセージを出力したりする。または、警報出力部４０は、コアネットワークＣＮに接続されたサーバＳに警報データを送信するようにしてもよい。この場合、サーバＳはフェムトセル基地局１０の通信速度を管理するサーバとして機能する。これにより、上り方向の通信品質が保証（確保）できないときに、フェムトセル基地局１０を管理、運用する通信事業者に知らせることができ、例えば、バックホール回線ＢＬ１を無線から有線（固定回線）に変更するなど、通信事業者にバックホール回線ＢＬ１の検討や見直しを促すことができる。
【００３８】
フェムトセル基地局１０には、商用電源（図示省略）から電力が供給される。しかし、フェムトセル基地局１０は商用電源から電力が供給される場合に限定されず、例えば、フェムトセル基地局１０がキャパシタや二次電池などの蓄電装置を備えるようにしてもよい。
【００３９】
本実施形態では、測定部２０、送信制御部３０、および警報出力部４０が、制御部１３の一機能である例を示したが、これに限定されない。例えば、フェムトセル基地局１０が、測定部２０、音声制御部３０、および警報出力部４０のうちの少なくとも１つをさらに備えるようにしてもよい。
【００４０】
次に、フェムトセル基地局１０の動作について説明する。
【００４１】
図３は、図１および図２に示したフェムトセル基地局１０が上り方向の通信品質を確認する動作を説明するフローチャートである。
【００４２】
フェムトセル基地局１０は、例えば、起動時に、制御部１３が図３に示す通信品質確認処理Ｓ１１０を実行する。
【００４３】
最初に、測定部２０は、記憶部１４に記憶された測定用ファイルｆ１を読み出し、無線通信部１２およびアンテナ１１を制御してサーバＳに測定用ファイルｆ１を送信する（Ｓ１１１）。測定用ファイルｆ１の送信完了後、測定部２０は上り方向の通信速度を測定する（Ｓ１１２）。
【００４４】
次に、送信制御部３０は、記憶部１４に記憶されたしきい値ｄ１を読み出し、Ｓ１１２において測定した通信速度がしきい値ｄ１より小さいか否かを判定する（Ｓ１１３）。
【００４５】
Ｓ１１３の判定の結果、測定した通信速度がしきい値ｄ１より小さい場合、上り方向の通信速度が所定の速度より低いので、上り方向の通信品質を保証（確保）することができないものと考えられる。よって、警報出力部４０は警報を出力する（Ｓ１１４）。また、送信制御部３０は、基地局Ｂ１への送信を禁止し（Ｓ１１５）、通信品質確認処理Ｓ１１０を終了する。
【００４６】
なお、Ｓ１１５において、送信制御部３０は、移動局Ｍ１からの通話要求に関してのみ、基地局Ｂ１への送信を禁止するようにしてもよい。
【００４７】
すなわち、音声通話サービスは所定の品質を保証（確保）することが求められている。これに対し、データ通信サービスは、その性質上、ベストエフォート型のサービスであるから、上り方向の通信品質が低い場合であっても、サービスを提供してもよいといえる。よって、測定部２０により測定された通信速度がしきい値ｄ１より低い場合に、移動局Ｍ１からの通話要求に関して基地局Ｂ１への送信を禁止することにより、上り方向の通信品質が保証（確保）できないときに、音声通話サービスのみを停止し、データ通信サービスを提供することができる。
【００４８】
一方、Ｓ１１３の判定の結果、測定した通信速度がしきい値ｄ１より小さくない、すなわち、測定した通信速度がしきい値ｄ１以上である場合、上り方向の通信速度が所定の速度以上であるから、上り方向の通信品質を保証（確保）することができると考えられる。よって、送信制御部３０は、基地局Ｂ１への送信を許可し（Ｓ１１６）、通信品質確認処理Ｓ１１０を終了する。
【００４９】
本実施形態では、フェムトセル基地局１０の起動時に通信品質確認処理Ｓ１１０を実行するようにしたが、これに限定されない。制御部１３は、例えば、所定の間隔で定期的に、または、不定期に、通信品質確認処理Ｓ１１０を実行するようにしてもよい。この場合、以前の実行時に、Ｓ１１３の判定の結果、測定した通信速度がしきい値ｄ１より小さく、Ｓ１１５において送信制御部３０が基地局Ｂ１への送信を禁止し、音声通話サービスおよびデータ通信サービスを停止したときでも、今回の実行時に、上り方向の通信品質が向上（回復）し、Ｓ１１３の判定の結果、測定した通信速度がしきい値ｄ１以上である場合、Ｓ１１６において送信制御部３０は基地局Ｂ１への送信を許可し、上り方向の音声通話サービスおよびデータ通信サービスを再開することが可能となる。
【００５０】
また、本実施形態では、Ｓ１１３の判定の結果、測定した通信速度がしきい値ｄ１より小さい場合に、Ｓ１１４において警報を出力し、Ｓ１１５において基地局Ｂ１への送信を禁止するようにしたが、これに限定されない。制御部１３は、Ｓ１１４およびＳ１１５のいずれか一方のみを行うようにしてもよい。
【００５１】
このように、本実施形態によれば、上り方向に測定用ファイルｆ１を送信して通信速度を測定することにより、下り方向よりも必要性（優先度）が高い上り方向について、事前に、通信品質を知ることが可能となる。これにより、フェムトセル基地局１０が音声通話サービスおよびデータ通信サービスを提供する前に、上り方向の通信品質を確認することができる。
【００５２】
＜第２実施形態＞
図４ないし図６は、本発明に係るフェムトセル基地局、通信品質確認方法、および通信品質確認プログラムの第２実施形態を示すためのものである。なお、特に記載がない限り、前述した第１実施形態と同一構成部分は同一符号をもって表し、その説明を省略する。また、前述した第１実施形態と類似する構成部分は類似の符号をもって表し、その詳細な説明を省略する。さらに、図示しない構成部分は、前述した第１実施形態と同様とする。
【００５３】
図４は、第２実施形態における公衆通信網ＰＮ２の概略構成を説明する構成図である。図４に示すように、公衆携帯電話通信網ＰＮ２は、本発明に係るフェムトセル基地局１０Ａと、バックホール回線ＢＬ２と、複数の基地局Ｂ２，Ｂ３，Ｂ４と、インターネット網ＩＮと、制御局Ｃと、コアネットワークＣＮと、無線ネットワーク制御局ＲＣと、を備える。
【００５４】
フェムトセル基地局１０Ａは、例えば、屋内や地下などに設置され、第１実施形態のフェムトセル基地局１０と同様に、フェムトセル１０ａを有する。フェムトセル基地局１０Ａは、フェムトセル１０ａの範囲内に位置する、例えば携帯電話などの移動局Ｍ１からの音声やデータを、バックホール回線ＢＬ２を介して基地局Ｂ４に中継する。
【００５５】
バックホール回線ＢＬ２は、フェムトセル基地局１０Ａと基地局Ｂ４との間を無線で通信可能にする。バックホール回線ＢＬ２は、例えば、Ｗｉ−Ｆｉなどの無線ＬＡＮや、３ＧやＬＴＥなどのモバイル回線（携帯電話回線）で構成することが可能である。
【００５６】
基地局Ｂ４は、フェムトセル基地局１０Ａから受信した音声データや通信データなどを、インターネット網ＩＮを介してコアネットワークＣＮに中継する。基地局Ｂ４は、例えば、ｘＤＳＬ、同軸ケーブル、光ファイバーなどの有線で、インターネット網ＩＮに接続する。
【００５７】
フェムトセル基地局１０Ａおよび基地局Ｂ４は、バックホール回線ＢＬ２を介して、複数の通信規格で通信可能である。フェムトセル基地局１０Ａおよび基地局Ｂ４は、複数の通信規格の中から選択され、設定された一の通信規格で通信する。
【００５８】
図５は、図４に示したフェムトセル基地局１０Ａの構成を説明するブロック図である。図５に示すように、フェムトセル基地局１０Ａは、アンテナ１１Ａと、無線通信部１２Ａと、制御部１３Ａと、記憶部１４と、を備える。
【００５９】
アンテナ１１Ａは、複数の周波数帯の電波（電磁波）を放射（輻射）および受波可能である。無線通信部１２Ａは、制御部１３Ａにより選択（設定）された通信規格で、アンテナ１１Ａおよびバックホール回線ＢＬ２を介して基地局Ｂ４との間で通信（送受信）する。
【００６０】
制御部１３Ａは、アンテナ１１Ａ、無線通信部１２Ａ、記憶部１４などのフェムトセル基地局１０Ａの各部を制御するためのものである。制御部１３Ａは、例えば、ＣＰＵ、ＲＯＭやＲＡＭなどのメモリ、入出力インターフェースなどで構成することが可能である。また、制御部１３Ａは、その機能構成として、測定部２０Ａと、送信制御部３０Ａと、警報出力部４０を備える。なお、警報出力部４０は、第１実施形態と同様に、コアネットワークＣＮに接続されたサーバＳに警報データを送信するようにしてもよい。
【００６１】
測定部２０Ａは、フェムトセル基地局１０Ａから基地局Ｂ４への方向（以下、上り方向という）に、複数の通信規格のうちから選択して設定した一の通信規格で、コアネットワークＣＮに接続されたサーバＳに測定用ファイルｆ１を送信し、通信速度を測定する。通信速度は、測定用ファイルｆ１のサイズと測定用ファイルｆ１の送信が完了するまでの時間とに基づいて、測定（算出）される。また、通信速度の単位は、例えば、ｂｐｓ［ビット／秒］が用いられる。
【００６２】
ここで、無線のバックホール回線ＢＬ２を介する通信の品質、特に音声通話の品質は、通信速度の影響を受けることが分かっている。また、無線のバックホール回線ＢＬ２を介する通信では、基地局Ｂ４からフェムトセル基地局１０Ａへの方向（以下、下り方向という）の通信速度と比較して、上り方向の通信速度の方が低い（遅い）傾向にあるので、下り方向よりも上り方向の方が、通信品質を確認する必要性（優先度）が高いといえる。よって、上り方向に複数の通信規格のうちの一の通信規格で測定用ファイルｆ１を送信して通信速度を測定することにより、下り方向よりも必要性（優先度）が高い上り方向について、事前に、一の通信規格の通信品質を知ることが可能となる。
【００６３】
通信制御部３０Ａは、測定部２０Ａにより測定された通信速度に基づいて、基地局Ｂ４への送信を制御する。
【００６４】
具体的には、測定部２０Ａにより測定された一の通信規格の通信速度がしきい値ｄ１以上である場合に、送信制御部３０Ａは、一の通信規格による基地局Ｂ４への送信を許可する。一の通信規格による基地局Ｂ４への送信を許可するために、送信制御部３０は、例えば、移動局Ｍ１からの音声通話およびデータ通信の要求（リクエスト）を受け入れて一の通信規格で送信するように設定する。
【００６５】
ここで、一の通信規格の上り方向の通信速度が所定の速度以上である場合、ＱｏＳの観点から、一の通信規格の上り方向の通信は所定の品質が保証（確保）されているといえる。よって、測定部２０Ａにより測定された一の通信規格の通信速度がしきい値ｄ１以上である場合に、一の通信規格による基地局Ｂ１への送信を許可することにより、上り方向の品質が保証（確保）された音声通話サービスおよびデータ通信サービスを提供することができる。
【００６６】
一方、複数の通信規格の全ての通信規格において、測定部２０Ａにより測定された通信速度がしきい値ｄ１より低い（遅い）場合に、送信制御部３０Ａは、基地局Ｂ４への送信を禁止する。基地局Ｂ４への送信を禁止するために、送信制御部３０Ａは、例えば、移動局Ｍ１からの音声通話およびデータ通信の要求（リクエスト）を拒否（拒絶）するように設定する。これにより、上り方向の通信品質が保証（確保）できないときに、音声通話サービスおよびデータ通信サービスを停止することができ、低品質なサービスの提供を防止することができる。
【００６７】
フェムトセル基地局１０Ａには、商用電源（図示省略）から電力が供給される。しかし、フェムトセル基地局１０Ａは商用電源から電力が供給される場合に限定されず、例えば、フェムトセル基地局１０Ａがキャパシタや二次電池などの蓄電装置を備えるようにしてもよい。
【００６８】
本実施形態では、測定部２０Ａ、送信制御部３０Ａ、および警報出力部４０が、制御部１３Ａの一機能である例を示したが、これに限定されない。例えば、フェムトセル基地局１０Ａが、測定部２０Ａ、送信制御部３０Ａ、および警報出力部４０のうちの少なくとも１つをさらに備えるようにしてもよい。
【００６９】
次に、フェムトセル基地局１０Ａの動作について説明する。
【００７０】
図６は、図４および図５に示したフェムトセル基地局１０Ａが上り方向の通信品質を確認する動作を説明するフローチャートである。なお、以下の説明では、フェムトセル基地局１０Ａおよび基地局Ｂ４が、２．５ＧＨｚの周波数帯を使用するＡＸＧＰ（Advanced eXtended Global Platform）の通信規格と、１．５ＧＨｚの周波数帯を使用する、ＨＳＰＡ（High Speed Packet Access）を高速化したＨＳＰＡ＋などの通信規格との２つの通信規格で通信可能である例を用いる。
【００７１】
フェムトセル基地局１０Ａは、例えば、起動時に、制御部１３Ａが図６に示す通信品質確認処理Ｓ２１０を実行する。
【００７２】
最初に、測定部２０Ａは、記憶部１４に記憶された測定用ファイルｆ１を読み出し、無線通信部１２Ａおよびアンテナ１１Ａを制御してサーバＳに複数の通信規格のうちの一の通信規格で測定用ファイルｆ１を送信する（Ｓ２１１）。測定用ファイルｆ１の送信完了後、測定部２０Ａは一の通信規格の上り方向の通信速度を測定する（Ｓ２１２）。
【００７３】
次に、送信制御部３０Ａは、記憶部１４に記憶されたしきい値ｄ１を読み出し、Ｓ２１２において測定した一の通信規格の通信速度がしきい値ｄ１より小さいか否かを判定する（Ｓ２１３）。
【００７４】
Ｓ２１３の判定の結果、測定した一の通信規格の通信速度がしきい値ｄ１より小さい場合、測定部２０Ａは、複数の通信規格のうち、上り方向の通信速度をまだ測定していない、他の通信規格がないか否かを判定する（Ｓ２１４）。
【００７５】
Ｓ２１４の判定の結果、他の通信規格がない場合、複数の通信規格のうちの全ての通信規格において、上り方向の通信速度が所定の速度より低いので、上り方向の通信品質を保証（確保）することができないものと考えられる。よって、警報出力部４０は警報を出力する（Ｓ２１５）。また、送信制御部３０Ａは、基地局Ｂ４への送信を禁止し（Ｓ２１６）、通信品質確認処理Ｓ２１０を終了する。
【００７６】
なお、Ｓ２１６において、送信制御部３０Ａは、移動局Ｍ４からの通話要求に関してのみ、基地局Ｂ４への送信を禁止するようにしてもよい。
【００７７】
すなわち、音声通話サービスは所定の品質を保証（確保）することが求められている。これに対し、データ通信サービスは、その性質上、ベストエフォート型のサービスであるから、上り方向の通信品質が低い場合であっても、サービスを提供してもよいといえる。よって、複数の通信規格のうちの全ての通信規格において、測定部２０Ａにより測定された通信速度がしきい値ｄ１より低い場合に、移動局Ｍ１からの通話要求に関して基地局Ｂ４への送信を禁止することにより、上り方向の通信品質が保証（確保）できないときに、音声通話サービスのみを停止し、データ通信サービスを提供することができる。この場合、送信制御部３０Ａは、移動局Ｍ１からのデータ通信要求に対して、複数の通信規格のうちの少なくとも一つの通信規格で、基地局Ｂ４への送信を許可する。
【００７８】
一方、Ｓ２１４の判定の結果、他の通信規格がある場合、測定部２０Ａは、当該他の通信規格を選択、設定し、再度、Ｓ２１１〜Ｓ２１３の処理を行う。例えば、先に、２．５ＧＨｚの周波数帯を使用するＡＸＧＰの通信規格が選択、設定されていた場合、測定部２０Ａは、１．５ＧＨｚの周波数帯を使用するＨＳＰＡ＋などの通信規格を選択、設定し、再度Ｓ２１１〜Ｓ２１３の処理を行う。
【００７９】
一方、Ｓ２１３の判定の結果、測定した一の通信規格の通信速度がしきい値ｄ１より小さくない、すなわち、測定した一の通信規格の通信速度がしきい値ｄ１以上である場合、一の通信規格の上り方向の通信速度が所定の速度以上であるから、一の通信規格の上り方向の通信品質を保証（確保）することができると考えられる。よって、送信制御部３０Ａは、一の通信規格による基地局Ｂ４への送信を許可し（Ｓ２１７）、通信品質確認処理Ｓ２１０を終了する。
【００８０】
前述した例では、例えば、先に選択、設定した２．５ＧＨｚの周波数帯を使用するＡＸＧＰの通信規格の通信速度がしきい値ｄ１より小さく、次に選択、設定した１．５ＧＨｚの周波数帯を使用するＨＳＰＡ＋などの通信規格の通信速度がしきい値ｄ１以上である場合、Ｓ２１７において、送信制御部３０Ａは、１．５ＧＨｚの周波数帯を使用するＨＳＰＡ＋などの通信規格による基地局Ｂ４への送信を許可する。このように、フェムトセル基地局１０Ａと基地局Ｂ４との間で通信可能な複数の通信規格のうち、測定部２０Ａにより測定された一の通信規格の通信速度がしきい値ｄ１以上である場合に、一の通信規格による基地局Ｂ１への送信を許可することにより、他の通信規格の上り方向の通信品質を保証（確保）することができない場合でも、一の通信規格で上り方向の品質が保証（確保）された音声通話サービスおよびデータ通信サービスを提供することができる。
【００８１】
本実施形態では、フェムトセル基地局１０Ａの起動時に通信品質確認処理Ｓ２１０を実行するようにしたが、これに限定されない。制御部１３Ａは、例えば、所定の間隔で定期的に、または、不定期に、通信品質確認処理Ｓ２１０を実行するようにしてもよい。この場合、以前の実行時に、Ｓ２１６において送信制御部３０Ａが基地局Ｂ４への送信を禁止し、音声通話サービスおよびデータ通信サービスを停止したときでも、今回の実行時に、一の通信規格の上り方向の通信品質が向上（回復）し、Ｓ２１３の判定の結果、測定した一の通信規格の通信速度がしきい値ｄ１以上である場合、Ｓ２１７において送信制御部３０Ａは基地局Ｂ４への送信を許可し、上り方向の音声通話サービスおよびデータ通信サービスを再開することが可能となる。
【００８２】
また、本実施形態では、Ｓ２１４の判定の結果、他の通信規格がない場合に、Ｓ２１５において警報を出力し、Ｓ２１６において基地局Ｂ４への送信を禁止するようにしたが、これに限定されない。制御部１３Ａは、Ｓ２１５およびＳ２１６のいずれか一方のみを行うようにしてもよい。
【００８３】
このように、本実施形態によれば、上り方向に複数の通信規格のうちの一の通信規格で測定用ファイルｆ１を送信して一の通信規格の通信速度を測定することにより、下り方向よりも必要性（優先度）が高い上り方向について一の通信規格の通信品質を知ることが可能となる。これにより、フェムトセル基地局１０Ａが音声通話サービスおよびデータ通信サービスを提供する前に、事前に上り方向の通信品質を確認することができる。
【００８４】
なお、前述した各実施形態の構成は、組み合わせたり、あるいは一部の構成部分を入れ替えたりしたりしてもよい。また、本発明の構成は前述した各実施形態のみに限定されるものではなく、本発明の要旨を逸脱しない範囲内において種々変更を加えてもよい。
【符号の説明】
【００８５】
１０，１０Ａ…フェムトセル基地局
１０ａ…フェムトセル
１１、１１Ａ…アンテナ
１２、１２Ａ…無線通信部
１３、１３Ａ…制御部
１４…記憶部
２０、２０Ａ…測定部
３０、３０Ａ…送信制御部
４０…警報出力部
Ｂ１，Ｂ２，Ｂ３，Ｂ４…基地局
ＢＬ１，ＢＬ２…バックホール回線
Ｃ…制御局
ＣＮ…コアネットワーク
ｄ１…しきい値
ｆ１…測定用ファイル
ＧＷ…ゲートウェイ
ＩＮ…インターネット網
Ｍ１，Ｍ２…移動局
ＰＮ１，ＰＮ２…公衆携帯電話通信網
ＲＣ…無線ネットワーク制御局
Ｓ…サーバ
Ｓ１１０，Ｓ２１０…通信品質確認処理
【図１】
2014086900.tif 000003
【図２】
2014086900.tif 000004
【図３】
2014086900.tif 000005
【図４】
2014086900.tif 000006
【図５】
2014086900.tif 000007
【図６】
2014086900.tif 000008